(57)【要約】【課題】ＬＥＤの使用個数を少なくして製造コストを安くすると共にＬＥＤ後方に放射される光を周辺方向の放射光として有効に利用できるＬＥＤの保持構造を提供する。【解決手段】ＬＥＤ１のリード線１ａを挿通してＬＥＤを保持するＬＥＤ保持ベース２に先端から周辺に向けて傾斜する傾斜面２ａを設け、前記傾斜面２ａで前記ＬＥＤ１から後方に放射する光を周辺方向に反射させる。【選択図】図１
2009224172.tif 000002
【特許請求の範囲】
【請求項１】
ＬＥＤのリード線を挿通してＬＥＤを保持するＬＥＤ保持ベースに先端から周辺に向けて傾斜する傾斜面を設け、前記傾斜面で前記ＬＥＤから後方に放射する光を周辺方向に反射させることを特徴とするＬＥＤの保持構造。
【請求項２】
前記傾斜面が円錐面である請求項１のＬＥＤの保持構造。
【請求項３】
前記傾斜面を有彩色に彩色した請求項１または２のＬＥＤの保持構造。
【請求項４】
ＬＥＤのリード線を挿通してＬＥＤを保持するＬＥＤ保持ベースに凹み面を設け、前記凹み面で前記ＬＥＤから後方に放射する光を周辺方向に屈折させることを特徴とするＬＥＤの保持構造。
【請求項５】
前記凹み面が部分球面である請求項４のＬＥＤの保持構造。
【発明の詳細な説明】
【技術分野】
【０００１】
この発明はＬＥＤの保持構造に係わり、特に、ＬＥＤの放射光の利用手段に関する。
【背景技術】
【０００２】
実開平６−２１０８５号公報に開示された従来のＬＥＤの保持構造を図５により説明する。図５（ａ）は実開平６−２１０８５号公報に開示された従来のＬＥＤの保持構造を示す分解斜視図、図５（ｂ）は同ＬＥＤの保持構造を示す断面図である。
【０００３】
図５に示すように、ＬＥＤ１のリード線１ａ、１ａはプリント基板Ａの丸穴Ａｂ、Ａｂに挿通されプリント基板の導体パターンに半田付けされることによりＬＥＤ１がプリント基板Ａに実装される。カバーＢの係止片Ｂａ、Ｂａはプリント基板Ａの係止穴Ａａ、Ａａを挿通してプリント基板Ａを係止することによりカバーＢがプリント基板Ａに固定される。
【０００４】
このようにして、カバーＢがＬＥＤ１の周囲を囲むように配置されることにより、ＬＥＤ１はカバーＢの内周面Ｂｂにより動きが規制されて、プリント基板Ａに対して垂直に保持される。ＬＥＤ１は一般に図６の点線矢印で示すように前方および後方の所定の放射角範囲に大部分の光が放射されるが、この例では、図５（ｂ）に示すように、前方に放射された光がカバーＢの内周面Ｂｂで反射されることにより矢印Ｈ方向の狭い放射角に集光されて放射される。
【０００５】
この例では、ＬＥＤから光が狭い範囲に集光されて光の明るさが強められるが、横方向の放射が必要な場合には１個のＬＥＤでその機能を果たすことができないという問題があった。また、ＬＥＤから後方に放射される光が有効に利用できないという問題があつた。
【０００６】
図７に示す従来のＬＥＤの保持構造の他の例では、図示していないＬＥＤ保持ベースの上に透光性樹脂で作られたリフレクタ１０が固定されている。リフレクタ１０はＬＥＤ１に被せられており、上端面に円錐状半斜面１０ａが形成されている。
【０００７】
ＬＥＤ１から前方に放射された光はその一部が図７に点線矢印に示するように円錐状半斜面１０ａで周囲方向に反射され、その残部は円錐状半斜面１０ａで屈折されて前方に放射される。このＬＥＤの保持構造によると、１個のＬＥＤから前方と周辺方向とに光を導くことができるが、保持ベースに透光性樹脂のリフレクタ１０を固定する必要があり、製造コストが高くなるという問題があった。また、ＬＥＤ後方に放射される光を有効に利用できないという問題もあった。
【０００８】
図８に示す従来のＬＥＤの保持構造のさらに他の例では、図示していないＬＥＤ保持ベースに３個のＬＥＤが保持されている。そして、中央に配置されたＬＥＤ１に対して他のＬＥＤ１、１は光軸を９０°交差させている。
【０００９】
図８に点線矢印で示すように、中央に配置されたＬＥＤ１の前方に出射され光はこのＬＥＤ１が正立姿勢に配置されているため、前方に放射され、左右に配置されたＬＥＤ１、１の光はこれらのＬＥＤ１、１が横向きに配置されているため、側方に放射される。
【００１０】
このＬＥＤの保持構造によると、１個のＬＥＤから前方と周辺方向とに光を導くことができないため、中央のＬＥＤの前方と周辺方向に光を放射させるために複数のＬＥＤを必要とし、さらに、ＬＥＤ保持ベースの構造やＬＥＤ１のリード線１ａ、１ａ…の実装方法が面倒となるため、製造コストが増大するという問題があった。また、ＬＥＤ後方に放射される光を有効に利用できないという問題もあった。
【特許文献１】実開平６−２１０８５号公報、段落００１０〜段落００１３、図１、図５
【発明の開示】
【発明が解決しようとする課題】
【００１１】
この発明は上記した点に鑑みてなされたものであって、その目的とするところは、ＬＥＤの使用個数を少なくして製造コストを安くすると共に、ＬＥＤ後方に放射される光を周辺方向の放射光として有効に利用できるＬＥＤの保持構造を提供することにある。
【課題を解決するための手段】
【００１２】
この発明のＬＥＤの保持構造は、ＬＥＤのリード線を挿通してＬＥＤを保持するＬＥＤ保持ベースに先端から周辺に向けて傾斜する傾斜面を設け、前記傾斜面で前記ＬＥＤから後方に放射する光を周辺方向に反射させるものである。
【００１３】
また、前記ＬＥＤの保持構造において、前記傾斜面を円錐面としたものである。
【００１４】
また、前記各ＬＥＤの保持構造において、前記傾斜面を有彩色に彩色したものである。
【００１５】
また、この発明のＬＥＤの保持構造は、ＬＥＤのリード線を挿通してＬＥＤを保持するＬＥＤ保持ベースに凹み面を設け、前記凹み面で前記ＬＥＤから後方に放射する光を周辺方向に屈折させるものである。
【００１６】
また、前記ＬＥＤの保持構造において、前記凹み面を部分球面としたものである。
【発明の効果】
【００１７】
この発明のＬＥＤの保持構造によれば、ＬＥＤの使用個数を少なくして製造コストを安くすると共にＬＥＤ後方に放射される光を周辺方向の放射光として有効に利用できる。
【発明を実施するための最良の形態】
【００１８】
以下この発明を実施するための最良の形態を実施例に即して説明する。
【実施例１】
【００１９】
図１（ａ）はこの発明の実施例１であるＬＥＤの保持構造を示す分解斜視図、図１（ｂ）は同ＬＥＤの保持構造を示す斜視図である。図１（ａ）および図１（ｂ）に示すように、ＬＥＤ１のリード線１ａ、１ａはＬＥＤ保持ベース２のリード線挿通穴２ｂ、２ｂを挿通して図示していないプリント基板の導体パターンに半田付けされる。なお、ＬＥＤ保持ベース２は図１では図示していないが、従来例で説明したように係止片でプリント基板に係止させてもよく、プリント基板の穴に圧入してもよい。
【００２０】
ＬＥＤ保持ベース２は乳白色の合成樹脂で作られ、上部に円錐状傾斜面２ａが形成されている。図１（ｂ）に点線矢印で示すように、ＬＥＤ１から前方に放射される光はそのまま外部に放射され、ＬＥＤ１から後方に放射される光はＬＥＤ保持ベース２の円錐状傾斜面２ａで反射され周辺方向の放射光として有効に利用できる。そして、１個のＬＥＤで正面方向の照明および周辺方向の照明ができるので、製造コストが安くなる。
【００２１】
図２によりこの実施例の変形例を説明する。図２（ａ）に示すＬＥＤ保持ベース２は実施例１のものであり、円錐状傾斜面２ａの頂角は略９０°である。図２（ｂ）に示すＬＥＤ保持ベース３は実施例１の第１の変形例であり、実施例１のものと同様に円錐状傾斜面３ａとリード線挿通穴３ｂ、３ｂを有するが、円錐状傾斜面３ａの頂角は鈍角となっている。
【００２２】
図２（ｃ）に示すＬＥＤ保持ベース４は実施例１の第２の変形例であり、実施例１のものと同様に円錐状傾斜面４ａとリード線挿通穴４ｂ、４ｂを有するが、円錐状傾斜面４ａの頂角はは鋭角となっている。このように、円錐状傾斜面の頂角を任意に設定することにより、周辺方向の放射光の向きや広がりを任意に設定することができる。
【実施例２】
【００２３】
図３はこの発明の実施例２であるＬＥＤの保持構造の部材を示す斜視図である。図３に示すＬＥＤ保持ベース５の形状は実施例１のものと同様であり、実施例１のものと同様に円錐状傾斜面５ａとリード線挿通穴５ｂ、５ｂを有するが、円錐状傾斜面５ａは有彩色に塗装されている。このようにして、周辺方向の放射光の色を変化させることができる。
【実施例３】
【００２４】
図４（ａ）はこの発明の実施例３であるＬＥＤの保持構造の部材を示す斜視図、図４（ｂ）は同ＬＥＤの保持構造を示す断面図である。図４（ａ）および図４（ｂ）に示すＬＥＤ保持ベース６は透光性合成樹脂で作られており、上面が半球状屈折面６ａとなっている。そして、半球状屈折面６ａに開口するリード線挿通穴６ｂ、６ｂをＬＥＤ１のリード線１ａ、１ａが挿通する。
【００２５】
この例ではＬＥＤ１から後方に放射される光が半球状屈折面６ａにより屈折されて周辺方向に放射される。このような構成によっても本願発明の効果が得られる。この例では、傾斜面が突出していないので、ＬＥＤ１が安定した状態で保持される。また、ＬＥＤ保持ベース６に設ける凹みが球面であるため、金型の製造コストが安くなる。しかも球面の曲率半径を任意に設定することにより周辺方向の光の放射状態を選定することが可能である。
【００２６】
実施例は以上のように構成されているが発明はこれに限られず、例えば、円錐傾斜面は角錐傾斜面としてもよく、半球状屈折面は回転楕円面としてもよい。
【図面の簡単な説明】
【００２７】
【図１】図１（ａ）はこの発明の実施例１であるＬＥＤの保持構造を示す分解斜視図、図１（ｂ）は同ＬＥＤの保持構造を示す斜視図である。
【図２】図２（ａ）は同ＬＥＤの保持構造の部材を同実施例の変形例と比較するための斜視図、図２（ｂ）は同実施例の変形例の部材を示す斜視図、図２（ｃ）は同実施例のさらに他の変形例の部材を示す斜視図である。
【図３】この発明の実施例２であるＬＥＤの保持構造の部材を示す斜視図である。
【図４】図４（ａ）はこの発明の実施例３であるＬＥＤの保持構造の部材を示す斜視図、図４（ｂ）は同ＬＥＤの保持構造を示す断面図である。
【図５】図５（ａ）は従来のＬＥＤの保持構造を示す分解斜視図、図５（ｂ）は同ＬＥＤの保持構造を示す断面図である。
【図６】ＬＥＤの光放射方向を示す斜視図である。
【図７】従来のＬＥＤの保持構造の他の例を示す斜視図である。
【図８】従来のＬＥＤの保持構造のさらに他の例を示す斜視図である。
【符号の説明】
【００２８】
１  ＬＥＤ、１ａ  リード線
２  ＬＥＤ保持ベース、２ａ  円錐状傾斜面、２ｂ  リード線挿通穴
３  ＬＥＤ保持ベース、３ａ  円錐状傾斜面、３ｂ  リード線挿通穴
４  ＬＥＤ保持ベース、４ａ  円錐状傾斜面、４ｂ  リード線挿通穴
５  ＬＥＤ保持ベース、５ａ  円錐状傾斜面、５ｂ  リード線挿通穴
６  ＬＥＤ保持ベース、６ａ  半球状屈折面、６ｂ  リード線挿通穴
１０  リフレクタ、１０ａ  円錐状反射面
【図１】
2009224172.tif 000003
【図２】
2009224172.tif 000004
【図３】
2009224172.tif 000005
【図４】
2009224172.tif 000006
【図５】
2009224172.tif 000007
【図６】
2009224172.tif 000008
【図７】
2009224172.tif 000009
【図８】
2009224172.tif 000010